(57)【特許請求の範囲】
【請求項１】
背凭れの背面側に、衣服を掛けるためのハンガーを配設したハンガー付き椅子において、
前記ハンガーを、背凭れの左右の両側部に係合するようにした１対の取付部材と、両取付部材から、背凭れの背面側において互いに内方に向かって延出する１対の支持フレームと、両支持フレームの内端より上方に向かって互いに外側方に拡開するように延出する１対の傾斜起立フレームと、両傾斜起立フレームの上端部に各端部が連設された左右方向を向く上部フレームとを備えるものとし、少なくとも、前記傾斜起立フレームと上部フレームとを、弾性変形可能な材料により形成することにより、前記上部フレームに下向きの荷重がかかったとき、左右の支持フレームが取付部材を支点として下向きに回動しようとするモーメントが働き、そのモーメントにより、前記取付部材が背凭れの両側部に強く係合するようにしたことを特徴とするハンガー付き椅子。
【請求項２】
上部フレームを、背面視において、上方に湾曲させた請求項１記載のハンガー付き椅子。
【請求項３】
上部フレームより下方において、左右方向を向く補助フレームの両端部を、左右の傾斜起立フレームに連設した請求項１または２記載のハンガー付き椅子。
【請求項４】
補助フレームの中央部を、上部フレームの中央部より前方に位置させた請求項３記載のハンガー付き椅子。
【請求項５】
補助フレームを、背面視において、下方に湾曲させた請求項３または４記載のハンガー付き椅子。
【請求項６】
左右の取付部材を、背凭れの両側部に、上下方向の取付け位置調節可能として背凭れに装着した請求項１〜５のいずれかに記載のハンガー付き椅子。
【発明の詳細な説明】
【技術分野】
【０００１】
本発明は、背凭れの背面側に、衣服を掛けるためのハンガーを配設したハンガー付き椅子に関する。
【背景技術】
【０００２】
従来のハンガー付き椅子には、１本または２本の支柱の上端に、衣服を掛けるためのハンガー本体を設け、上記支柱を、背凭れの背面に、高さ調節可能としたり、または左右方向を向く軸回りに回動可能としたりして、装着したものが一般的である(例えば特許文献１〜４参照)。
【先行技術文献】
【特許文献】
【０００３】
【特許文献１】特開２００５−２４５８６６号公報
【特許文献２】特開２００６−１１００１３号公報
【特許文献３】特許第３８０１７６９号公報
【特許文献４】特許第４１４６８９０号公報
【発明の概要】
【発明が解決しようとする課題】
【０００４】
しかし、上述のような従来のハンガー付き椅子は、背凭れの背面中央部に支柱を取付けるための取付部材を固着し、それによって支柱を支持しているため、取付部材が目立って体裁が悪く、また、ハンガーに掛かる負荷が支柱に集中し、ハンガーの支持が不安定となり、特に左右方向にぐらつくおそれがあり、この支柱を強力に支持するため、取付部材を大型の頑丈なものにしなければならない。
さらに、ハンガーを取り外して使用する場合に、その取付部材や取付けのためのねじ孔等が残存し、体裁が悪い等の問題がある。
【０００５】
本発明は、上記問題点に鑑みてなされたもので、応力が中央に集中することなく、左右に分散され、背凭れへの取付部材を小型化できるとともに、衣服等を安定よく支持することができ、しかもハンガーを装着しているときだけでなく、ハンガーを取り外した後にも体裁のよいハンガー付き椅子を提供することを目的としている。
【課題を解決するための手段】
【０００６】
本発明によると、上記課題は、次のようにして解決される。
（１）背凭れの背面側に、衣服を掛けるためのハンガーを配設したハンガー付き椅子において、前記ハンガーを、背凭れの左右の両側部に係合するようにした１対の取付部材と、両取付部材から、背凭れの背面側において互いに内方に向かって延出する１対の支持フレームと、両支持フレームの内端より上方に向かって互いに外側方に拡開するように延出する１対の傾斜起立フレームと、両傾斜起立フレームの上端部に各端部が連設された左右方向を向く上部フレームとを備えるものとし、少なくとも、前記傾斜起立フレームと上部フレームとを、弾性変形可能な材料により形成することにより、前記上部フレームに下向きの荷重がかかったとき、左右の支持フレームが取付部材を支点として下向きに回動しようとするモーメントが働き、そのモーメントにより、前記取付部材が背凭れの両側部に強く係合するようにする。
【０００７】
このような構成とすると、ハンガーの取付部材を、背凭れの左右の両側部に装着してあるので、応力が中央に集中することなく、左右に分散され、ハンガー自体が左右にぐらつくことなく、衣服等を安定よく支持することができるとともに、左右の取付部材を小型化することができる。
また、ハンガーを背凭れに装着したときの背面形状が２個のＺ字を向き合わせて結合したようなユニークな形状を呈し、体裁がよく、しかもハンガーを装着しているときだけでなく、ハンガーを取り外した後にも、ねじ孔等が背凭れに残存することがないので体裁がよい。
さらに、少なくとも、傾斜起立フレームと上部フレームとを、弾性変形可能な材料により形成したことにより、上部フレームに衣服等の荷重がかかった際に、傾斜起立フレームと上部フレームとが弾性変形して、左右の支持フレームが取付部材を支点として、下向きに回動しようとするモーメントが働き、そのモーメントにより、取付部材が背凭れの両側部に強く係合し、取付部材と背凭れとの結合強度が増すという利点もある。
【０００８】
（２）上記(１)項において、上部フレームを、背面視において、上方に湾曲させる。
【０００９】
このような構成とすると、上部フレームが、上方からの荷重に対して撓みやすくなり、応力を分散できる。
【００１０】
（３）上記(１)または(２)項において、上部フレームより下方において、左右方向を向く補助フレームの両端部を、左右の傾斜起立フレームに連設する。
【００１１】
このような構成とすると、補助フレームに、ネクタイ、マフラー、ストールといった衣服の付属品を掛けておくことができ、利便性が増す。
【００１２】
（４）上記(３)項において、補助フレームの中央部を、上部フレームの中央部より前方に位置させる。
【００１３】
このような構成とすると、上部フレームに上着が掛けられている状態においても、補助フレームに、衣服の付属品等を、容易に掛けたり取り出したりすることができる。
【００１４】
（５）上記(３)または(４)項において、補助フレームを、背面視において、下方に湾曲させる。
【００１５】
このような構成とすると、補助フレームに掛けた衣服の付属品等が、補助フレームの中央部に寄るため、上部フレームに上着が掛けられている状態においても、それらを取り出し易くなる。
【００１６】
（６）上記(１)〜(５)項のいずれかにおいて、左右の取付部材を、背凭れの両側部に、上下方向の取付け位置調節可能として背凭れに装着する。
【００１７】
このような構成とすると、ハンガーを使用しないときは、上部フレームが背凭れの上端と等高か、またはそれより下位の下降位置に位置させておくことにより、ハンガーが邪魔にならず、また、ハンガーを使用する際には、上部フレームが背凭れの上端より上方となる上昇位置に位置させることにより、衣服等をハンガーに掛け易く、衣服等の下端が床に付かないようにすることができる。
【発明の効果】
【００１８】
本発明によると、応力が中央に集中することなく、左右に分散され、背凭れへの取付部材を小型化できるとともに、衣服等を安定よく支持することができ、しかもハンガーを装着しているときだけでなく、ハンガーを取り外した後にも体裁のよいハンガー付き椅子を提供することができる。
【図面の簡単な説明】
【００１９】
【図１】本発明のハンガー付き椅子の一実施形態の側面図である。
【図２】同じく、背面図である。
【図３】同じく平面図である。
【図４】背凭れを斜め前方より見た分解斜視図である。
【図５】ハンガーを斜め前方より見た分解斜視図である。
【図６】図２のVI−VI線に沿う拡大横断平面図である。
【図７】図２のVII−VII線に沿う拡大縦断側面図である。
【図８】図２のVIII−VIII線に沿う拡大横断平面図である。
【図９】ハンガーの取付部分を斜め後方より見た分解斜視図である。
【発明を実施するための形態】
【００２０】
以下、本発明の一実施形態を、添付図面に基づいて説明する。
図１〜図３に示すように、この椅子は、先端部にキャスタ１を備える放射状をなす５本の脚杆２を有する脚体３を備えている。脚体３の中央には、ガススプリング(図示略)を備える伸縮式の脚柱４が立設されており、脚柱４の上端には、支基５の後部が固着されている。
【００２１】
支基５は、上面が開口するほぼ中空箱状をなし、上面の開口部は、着脱可能なカバー５ａにより覆われている。
【００２２】
支基５の内部には、背凭れ６を起立する方向、すなわち前方に向かって付勢する付勢手段や、支基５によって支持された座７を前方に向かって付勢する付勢手段(いずれも図示略)等が設けられているが、それらについては、本発明に直接関係しないので、図示および詳細な説明は省略する。
【００２３】
背凭れ６は、図４に示すように、中間の屈曲部同士が左右方向を向く連結板８をもって連結された側面視Ｌ字状の左右１対の背凭れ支持杆９、９により支持されている。
この背凭れ支持杆９、９の前端部は、左右方向の軸１０をもって支基５に枢着され、支基５の後端部と連結板８とに前後の端部が連結されたガススプリング１１(図１参照)の作用により、背凭れ支持杆９、９と背凭れ６とは、軸１０を中心として、前後方向に回動したり、所望の後傾角度で停止させられたりし得るようになっている。
【００２４】
図４に示すように、背凭れ６は、左右１対の側杆１２、１２と、両側杆１２、１２同士を連結するとともに、前後方向の厚さを両側杆１２、１２の前後方向の厚さより小とした背板１３とを備えている。
背板１３の上半部１３ａは、両側杆１２、１２の前縁寄りに、同じく下半部１３ｂは、両側杆１２、１２の後縁寄りに接合し、それらの中間には、水平の段差部(図示略)が形成されている。
この両側杆１２、１２と背板１３とは、弾性を有する硬質合成樹脂材料により、一体成形して形成するのが好ましい。
【００２５】
このように、背凭れ６を、左右１対の側杆１２、１２と、両側杆１２、１２同士を連結するとともに、前後方向の厚さを両側杆１２、１２の前後方向の厚さより小とした背板１３とを備えるものとしてあるので、後述するハンガー２１の取付部材２２、２２が装着される背凭れ６の両側部の強度が低下することなく、左右の側杆１２、１２と背板１３とを、同一材料により一体成形することができるとともに、背板１３に可撓性を持たせることもできる。
【００２６】
背板１３の上半部１３ａには、可撓性を大とするための上下方向に長い多数の長孔１４が設けられている。
また、背板１３の下半部１３ｂの前面両側部には、剛性を高めるための多数のリブ１５が設けられている。
【００２７】
背凭れ６は、背板１３の下半部１３ｂの前面における左右のリブ１５、１５の間に、左右の背凭れ支持杆９、９の上端部を差し込み、かつ図示を省略した取付部材をもって、連結板８を背板１３の下半部１３ｂに固着し、それらの前面を、背板１３の下半部１３ｂとほぼ同形をなす前覆い板１６をもって、その前面が背板１３の上半部１３ａの前面と整合するようにして覆った状態で、背凭れ支持杆９、９に支持されている。
さらに、前覆い板１６の前面と、背板１３の上半部１３ａの前面と、背板１３の上半部１３ａの後面とは、二つ折りとしたクッション材１７により覆われている。
【００２８】
背凭れ６における左右の側杆１２、１２の前後両面には、後方および前方に向かって凹入する上下方向を向く前後１対の凹溝１８、１９が、互いに前後方向に整合させて設けられ、この凹溝１８、１９が設けられた部分の各側杆１２の水平断面は、図６に示すように、ほぼＨ字状をなしている。
【００２９】
各側杆１２における前後の凹溝１８、１９の上端および下端は、閉塞片１８ａ、１８ｂ、１９ａ、１９ｂにより閉塞されており、それによって、後述する取付部材２２、２２が、背凭れ６の上方または下方に脱落するのを防止しうるようにしてある。
なお、上下の閉塞片１８ａ、１８ｂ、１９ａ、１９ｂのいずれか一方を省略することにより、凹溝１８、１９の上端および下端のいずれか一方を上方または下方に開放しておいてもよい。
【００３０】
前方の凹溝１８の溝底面には、図７に示すように、上端面が水平をなす側面視三角形の複数の凸部２０が、上下方向に適宜の間隔をもって設けられている。
なお、この凸部２０に代えて、下端面が水平をなす側面視三角形の複数の凹部(図示略)としてもよい。
【００３１】
左右の側杆１２、１２に設けた前後の凹溝１８、１９には、図５に示すようなオプション部材である、衣服を掛けるためのハンガー２１の両側部に設けた取付部材２２、２２の一部が係合させられて、ハンガー２１は背凭れ６に取り付けられ、背凭れ６の背面側に配設されている。
【００３２】
ハンガー２１の各取付部材２２は、ハンガー２１の側端から外側方に延出し、背凭れ６の側端部を背面側から前面側にかけて囲む包囲片２３と、この包囲片２３の後方の内隅部に、ボルト・ナット２５ｄをもって、着脱可能として固着された弾性部材２５とを備えている。
【００３３】
各側杆１２の前面に回り込んだ各包囲片２３の先端の上部には、後方を向き、かつ下端が水平をなす側面視三角形の係合爪２４が設けられており、この係合爪２４が、側杆１２の前面の凹溝１８に嵌合し、凹溝１８内に設けた複数の凸部２０と選択的に係合して、ハンガー２１を複数の高さにおいて背凭れ６に係止しうるようになっている。
【００３４】
図７〜図９に示すように、弾性部材２５は、ボルト・ナット２５ｄをもって包囲片２３に固着された取付部２５ａと、この取付部２５ａから前上方に延出し、各側杆１２の前面の凹溝１９に嵌合して、その溝底面に圧接する弾性舌片２５ｂと、取付部２５ａから前下方に延出し、前端が各側杆１２の後面における凹溝１９の側縁に当接する当接片２５ｃとを備えている。
【００３５】
弾性部材２５における当接片２５ｃの前端が、各側杆１２の後面における凹溝１９の側縁に当接し、かつ弾性舌片２５ｂが、側杆１２の前面の凹溝１９に嵌合して、その溝底面に圧接することにより、係合爪２４を、側杆１２の前面における凹溝１８の溝底面に圧接するように付勢し、この係合爪２４と、弾性部材２５における弾性舌片２５ｂおよび当接片２５ｃとにより、各側杆１２を前後から挾圧把持し、さらに、係合爪２４の下縁が、凹溝１８内の複数の凸部２０のいずれかの上面に当接して係合することにより、左右の取付部材２２、２２は、左右の側杆１２、１２に、簡単に下降することのないように、強固に係合し、ハンガー２１を安定よく、強力に支持することができる。
【００３６】
ハンガー２１の取り付け位置を上下方向に調節したい場合は、弾性舌片２５ｂを弾性変形させつつ、その付勢力に抗して、ハンガー２１を、図７に２点鎖線で示すように、その下端部を支点として、前方に回動させるか、または前方に押動する。
すると、係合爪２４が、当接片２５ｃの前下端か、または包囲片２３の前部の下端内縁を支点とし、前方に回動させられて、凸部２０から前方に離脱する。
この状態で、ハンガー２１全体を上方または下方に移動し、係合爪２４を、上下いずれかの別の凸部２０に係合させればよい。
【００３７】
なお、ハンガー２１を下方に移動させる際は、ハンガー２１を元の後傾姿勢に戻しつつ下降させれば、係合爪２４は、下方の凸部２０に自然に係合する。
ハンガー２１を上方に移動させる際は、ハンガー２１を元の後傾姿勢に戻しつつ上昇させても、係合爪２４は、上方の凸部２０における前上方に傾斜する下縁に乗り上がって、一旦前方に押動された後、その凸部２０の上面に係合することができる。
【００３８】
ハンガー２１は、この例では、背凭れ６の左右の両側部に上記のようにして装着した上記の１対の取付部材２２、２２と、両取付部材２２、２２から、背凭れ６の背面側において互いに内方に向かって延出する１対の支持フレーム２６、２６と、両支持フレーム２６、２６の内端より上方に向かって互いに外側方に拡開するように延出する１対の傾斜起立フレーム２７、２７と、両傾斜起立フレーム２７、２７の上端部に各端部が連設された左右方向を向く上部フレーム２８とを備えるものとし、少なくとも、上記傾斜起立フレーム２７、２７と上部フレーム２８とを、弾性変形可能な材料により形成してある。
【００３９】
また、上部フレーム２８より下方において、左右方向を向く補助フレーム２９の両端部を、左右の傾斜起立フレーム２７、２７に連設してある。
この例では、上部フレーム２８を、背面視において、上方に円弧状に湾曲させ、また、補助フレーム２９を、背面視において、下方に円弧状に湾曲させ、上部フレーム２８と補助フレーム２９との左右の両端部同士を、左右の傾斜起立フレーム２７、２７の上端部に、互いに結合するようにして連設してある。
【００４０】
さらに、補助フレーム２９の中央部は、上部フレーム２８の中央部より前方に位置させてある。
【００４１】
ハンガー２１は、取付部材２２、２２における包囲片２３、２３と、支持フレーム２６、２６と、傾斜起立フレーム２７、２７と、上部フレーム２８と、補助フレーム２９とを、硬質合成樹脂材料により一体成形し、弾性部材２５、２５だけ別材料により形成して、これをボルト・ナット２５ｄをもって包囲片２３、２３に取り付けるようにするのが好ましい。
【００４２】
このハンガー２１は、取付部材２２、２２を、背凭れ６の左右の両側部に装着してあるので、応力が中央に集中することなく、左右に分散され、ハンガー２１自体が左右にぐらつくことなく、衣服等を安定よく支持することができるとともに、左右の取付部材２２、２２を小型化することができる。
【００４３】
また、ハンガー２１を背凭れ６に装着したときの背面形状が２個のＺ字を向き合わせて結合したようなユニークな形状を呈し、体裁がよく、しかもハンガー２１を装着しているときだけでなく、ハンガー２１を取り外した後にも、ねじ孔等が背凭れ６に残存することがないので体裁がよい。
【００４４】
さらに、少なくとも、傾斜起立フレーム２７、２７と上部フレーム２８とを、弾性変形可能な材料により形成したことにより、上部フレーム２８に衣服等の荷重がかかった際に、傾斜起立フレーム２７、２７と上部フレーム２８とが弾性変形して、左右の支持フレーム２６、２６が取付部材２２、２２を支点として、具体的には、弾性部材２５における当接片２５ｃの先端が側杆１２の後面に当接している部分を支点として、下向きに回動しようとするモーメントが働き、そのモーメントにより、取付部材２２、２２が背凭れ６の両側部に強く係合し、取付部材２２、２２と背凭れ６との結合強度が増すという利点もある。
【００４５】
上部フレーム２８は、背面視において、上方に円弧状に湾曲させてあるので、上方からの荷重に対して撓みやすくなり、応力を分散できる。
【００４６】
また、補助フレーム２９は、背面視において、下方に円弧状に湾曲させてあるので、この補助フレーム２９に、ネクタイ、マフラー、ストールといった衣服の付属品等を掛けておくことができ、利便性が増すだけでなく、補助フレーム２９に掛けた衣服の付属品等が、補助フレーム２９の中央部に寄るため、上部フレーム２８に上着が掛けられている状態においても、それらを取り出し易くなる。
【００４７】
しかも、補助フレーム２９は、その中央部を、上部フレーム２８の中央部より前方に位置させてあるので、上部フレーム２８に上着が掛けられている状態においても、補助フレーム２９に、衣服の付属品等を、容易に掛けたり取り出したりすることができる。
【００４８】
左右の取付部材２２を、背凭れ６の両側部に、上下方向の取付け位置調節可能として装着してあるので、ハンガー２１を使用しないときは、上部フレーム２８が背凭れ６の上端と等高か、またはそれより下位の下降位置に位置させておくことにより、ハンガー２１が邪魔にならず、また、ハンガー２１を使用する際には、上部フレーム２８が背凭れ６の上端より上方となる上昇位置に位置させることにより、衣服等をハンガー２１に掛け易く、衣服等の下端が床に付かないようにすることができる。
【００４９】
図示の例では、支基５の両側面に、左右１対の肘掛け３０、３０を取り付けてあるが、この肘掛けの後端に、上記取付部材２２を前後反転させたものと同様のものを取り付け、それを各側杆１２に、上記の場合と前後逆の関係で取り付けて、各肘掛けを、背凭れ６の両側部に、高さ調節可能として装着することもできる。
【００５０】
このように、オプション部材としては、上記ハンガー２１および肘掛けの他に、ヘッドレスト、ランバーサポート等とすることができ、それらのいずれか１個または複数個の両側部に設けた取付部材２２、２２の一部を、背凭れ６の左右両側部の前後いずれかの面に設けた凹溝１８、１９に係合させて、背凭れ６に取り付けることにより、それらのオプション部材を、簡単な構造で、安定よく確実に背凭れ６に取り付けることができるとともに、オプション部材を、凹溝１８、１９に沿うどのような位置(高さ)においても、同様の構造をもって取り付けることができる。したがって、オプション部材の上下方向の取付位置の調整が容易である。
また、オプション部材を取り外した後に、ねじ孔等の取付構造の一部が残らないので、背凭れの外観を美麗に保つことができる。
さらに、機能の異なる種々のオプション部材を、単独で、または複数個を組み合わせて、背凭れに装着することにより、椅子を多様化することができる。
【００５１】
本発明は、上記実施形態のみに限定されるものではなく、以下のような幾多の変形した態様での実施が可能である。
(１)  各側杆１２に、前後の凹溝１８、１９のうちのいずれか一方のみを設け、他方を省略し、設けた方の凹溝１８または１９に、取付部材２２の係合爪２４を嵌合し、側杆１２における凹溝を設けていない方の前後いずれかの面に、弾性部材２５における弾性舌片２５ｂと当接片２５ｃとを圧接し、係合爪２４と、弾性部材２５における弾性舌片２５ｂおよび当接片２５ｃとにより、各側杆１２を前後から挾圧把持することにより、ハンガー２１を支持するようにする。
【００５２】
(２)  凸部２０を省略し、係合爪２４が凹溝１８内に嵌合して、凹溝１８の溝底面に当接し、係合爪２４と、弾性部材２５における弾性舌片２５ｂおよび当接片２５ｃとにより、各側杆１２を前後から挾圧把持するだけで、ハンガー２１を支持するようにする。
【００５３】
(３)  係合爪２４を、各側杆１２の前面に回り込んだ包囲片２３の先端の下部に設け、それに関連して、弾性部材２５における弾性舌片２５ｂを取付部２５ａから前下方に向かって延出するように設けるとともに、当接片２５ｃを取付部２５ａから前上方に向かって延出するように設け、ハンガー２１その他のオプション部材を、後下方に回動させることにより、係合爪２４が、凸部２０から前方に離脱しうるようにする。
【符号の説明】
【００５４】
１  キャスタ
２  脚杆
３  脚体
４  脚柱
５  支基
５ａカバー
６  背凭れ
６ａ背板
６ｂクッション体
６ｃ表皮材
７  座
８  連結板
９  背凭れ支持杆
１０  軸
１１  ガススプリング
１２  側杆
１３  背板
１３ａ上半部
１３ｂ下半部
１４  長孔
１５  リブ
１６  前覆い板
１７  クッション材
１８、１９  凹溝
１８ａ、１８ｂ、１９ａ、１９ｂ  閉塞片
２０  凸部
２１  ハンガー(オプション部材)
２２  取付部材
２３  包囲片
２４  係合爪
２５  弾性部材
２５ａ取付部
２５ｂ弾性舌片
２５ｃ当接片
２６  支持フレーム
２７  傾斜起立フレーム
２８  上部フレーム
２９  補助フレーム
３０  肘掛け
【図１】
0005507953.tif 000002
【図２】
0005507953.tif 000003
【図３】
0005507953.tif 000004
【図４】
0005507953.tif 000005
【図５】
0005507953.tif 000006
【図６】
0005507953.tif 000007
【図７】
0005507953.tif 000008
【図８】
0005507953.tif 000009
【図９】
0005507953.tif 000010